(57)【特許請求の範囲】
【請求項１】
発呼する相手先のファクシミリ番号を登録する第１記憶手段と、前記ファクシミリ番号に対応した属性情報を登録する第２記憶手段と、相手先ファクシミリ番号を発呼後、前記属性情報を用いて通信手順を行う制御手段と、を備え、前記制御手段は、発呼時に前記第２記憶手段に前記属性情報が登録されている場合、その登録内容を表示するとともに表示内容の変更入力を受付け、変更入力があったときには、変更された内容を新たに前記第２記憶手段に登録した後、発呼することを特徴とするファクシミリ装置。
【請求項２】
前記属性情報はサブアドレス情報であることを特徴とする請求項１に記載のファクシミリ装置。
【請求項３】
前記属性情報は選択ポーリング情報であることを特徴とする請求項１に記載のファクシミリ装置。
【請求項４】
前記属性情報はパスワード情報であることを特徴とする請求項１に記載のファクシミリ装置。
【請求項５】
前記制御手段は、発呼時に前記第２記憶手段に前記属性情報が登録されていない場合には、操作者に入力を求めることを特徴とする請求項１乃至４のいずれかに記載のファクシミリ装置。
【請求項６】
前記制御手段は、操作者により入力された前記属性情報を前記第２記憶手段に登録することを特徴とする請求項５に記載のファクシミリ装置。
【発明の詳細な説明】
【０００１】
【発明の属する技術分野】
この発明はファクシミリ装置に関する。さらに詳しくは標準手順によるサブアドレス、パスワード、選択ポーリング等の信号を使用することが可能なファクシミリ装置に関する。
【０００２】
【従来の技術】
ファクシミリ通信手順は、ＩＴＵ（International Telecommunication Union ）−Ｔの勧告Ｔ．３０として規定されている。当勧告に基づいてファクシミリ通信を行うことにより、製造メーカーや機種が異なる装置間でも、ファクシミリ通信を実行することができる。勧告は、技術の進歩や利用形態等に鑑み、適宜見直しが行われている。最近の勧告では、親展通信に使用するＳＵＢ（サブアドレス）信号、選択ポーリングに使用するＳＥＰ（選択ポーリング）信号、これら両者に使用するＰＷＤ（パスワード）信号が新たに規定された。
【０００３】
ここで、親展通信とは、被呼側で受信した画データが第三者に見られることがないように、受信時に画データが印字出力されることなく、発呼側がサブアドレスで指定されたボックスに記憶される。そして、被呼側で正しい暗証番号が入力されたときに、ボックス内の画データが印字出力されるようになっている。
【０００４】
また、選択ポーリングは、被呼側のファクシミリ装置の複数ボックスに予め画データが蓄積されており、発呼側から受信したいボックスの選択ポーリングＩＤとパスワードを送信する。被呼側では、発呼側から指定された選択ポーリングＩＤとパスワードが一致するボックスを検索して、該当するボックスがあれば発呼側へ画データを送信する。
【０００５】
【発明が解決しようとする課題】
しかし、勧告で規定されているＳＵＢ信号、ＳＥＰ信号、ＰＷＤ信号は最大２０桁のデータを入力することができる。送信時には、相手先や機能の選択などの操作が必要であり、これらの操作に加え、さらに桁数の多いサブアドレス等を指定することは、誤操作を生じる要因となる。
本発明の目的は、発呼するときに、桁数の多いＳＵＢ信号、ＳＥＰ信号、ＰＷＤ信号等の入力の手間を減らし、操作性を向上させることを目的とする。
【０００６】
【課題を解決するための手段】
上記課題を解決するために、請求項１に記載の本発明のファクシミリ装置は、発呼する相手先のファクシミリ番号を登録する第１記憶手段と、前記ファクシミリ番号に対応した属性情報を登録する第２記憶手段と、相手先ファクシミリ番号を発呼後、前記属性情報を用いて通信手順を行う制御手段と、を備え、前記制御手段は、発呼時に前記第２記憶手段に前記属性情報が登録されている場合、その登録内容を表示するとともに表示内容の変更入力を受付け、変更入力があったときには、変更された内容を新たに前記第２記憶手段に登録した後、発呼することを特徴としている。
また、請求項２乃至４に記載の本発明のファクシミリ装置は、前記属性情報はサブアドレス情報、選択ポーリングＩＤ情報、パスワード情報であることを特徴としている。
【０００７】
また、請求項５に記載の本発明ファクシミリ装置は、請求項１乃至４のいずれかに記載のファクシミリ装置において、前記制御手段は、発呼時に前記第２記憶手段に前記属性情報が登録されていない場合には、操作者に入力を求めることを特徴としている。
また、請求項６に記載の本発明のファクシミリ装置は、請求項５に記載のファクシミリ装置において、前記制御手段は、操作者により入力された前記属性情報を前記第２記憶手段に登録することを特徴としている。
【０００８】
【発明の実施の形態】
本発明の実施の形態について説明する。図１は本発明のファクシミリ装置Ｆの概略構成を示すブロック図である。１は回線制御部（ＮＣＵ）であり、電話回線Ｌから到来する呼び出し信号を検出して、ＣＰＵに通知する一方、ＣＰＵからの指令にもとづいて電話回線Ｌの閉結、開放を行う。また、回線制御部１にはハンドセットＨＳが接続され、電話回線Ｌを使用した通話ができるようになっている。
【０００９】
２はモデムであり、電話回線Ｌから到来するアナログ信号をデジタル信号に変換するとともに、デジタル信号をアナログ信号へ変換して電話回線Ｌへ送出する。３はダイヤラであり、本発明のファクシミリ装置Ｆから発呼する場合に、ダイヤルパルス又はＤＴＭＦ信号の電話回線Ｌへの送出を制御するものである。
【００１０】
４は操作部であり、発呼する場合に相手先の電話（ファクシミリ）番号を入力するためのテンキーの他、親展通信や選択ポーリングなどの各種の機能を設定する機能キー、短縮ダイヤルキー、ワンタッチダイヤルキー、通信キーなど（いずれも不図示）を備える。５はＲＯＭであり、ファクシミリ装置Ｆを制御するために必要なプログラムやデータを記憶する。また、６はＲＡＭであり、ＭＨ符号、ＭＲ符号等によって符号化された画データを記憶する画像メモリおよびこれを管理する管理領域として使用される他、短縮ダイヤル番号データ等の電子電話帳データを記憶する。
【００１１】
７はＬＣＤ等で構成された表示部であり、ファクシミリ装置Ｆの動作状態や設定された機能等を表示する。８は読取部であり、ＣＣＤ等のイメージセンサによって原稿を読取走査し、２値化された画信号を出力する。９はコーデックであり、２値化された画データをＭＨ、ＭＲ等によって符号化する。また、その逆である復号化をする。１０は記録部であり、回線Ｌから受信した画データやＲＡＭ６に記憶された画データ等を、感熱記録方式や電子写真記録方式などによって、記録紙に記録する。
【００１２】
１１はＣＰＵであり、ＲＯＭ５に記憶されたプログラムに基づいて、バス１２で接続された上述の各部を制御する。
【００１３】
次にＲＡＭ６に記憶された電子電話帳について図２を参照しながら説明する。電子電話帳は発呼時に使用されるものであり、数字で表される短縮番号または英字で表されるワンタッチダイヤル毎に、相手先を示す相手先名称、相手先ファクシミリ番号、サブアドレス／選択ポーリングＩＤ、パスワードを記憶する領域を有する。サブアドレス／選択ポーリングＩＤは、親展送信とポーリング受信で使用される、パスワードはポーリング受信を行うときだけに使用される。
【００１４】
またＲＡＭ６には、図３に示すように、画データを記憶する画像メモリを管理する管理領域が設けられる。画像メモリはボックスを単位として管理されるので、管理領域には、ボックス毎に、ボックス名、ボックスが親展通信用または選択ポーリング用のいずれであるかを示す種別、サブアドレス／選択ポーリングＩＤ、パスワード、画データの実体が記憶されているメモリアドレス、選択ポーリング用に記憶されている画データの表題、親展通信時によりメモリ受信された画データを印字出力する際に使用する暗証番号などが記憶される。ボックスは、親展通信、選択ポーリングを行う前に、予め登録しておく必要がある。さらに、選択ポーリングの場合には、画データの登録も必要である。
【００１５】
次に本発明のファクシミリ装置Ｆを発呼側および被呼側に使用する場合の親展通信と選択ポーリングについて説明する。図４に発呼側装置の動作を示す。操作者が発呼操作を行うときに、親展通信を利用した送信又は選択ポーリングを利用した受信を希望する場合には、操作部４から該当機能を選択する（Ｓ１）。次に、操作部４から相手先を指定する（Ｓ２）。相手先の指定は、短縮ダイヤル、ワンタッチダイヤルまたはファクシミリ番号の直接入力により行う。
【００１６】
短縮ダイヤルは、相手先ファクシミリ番号に対して２〜３桁の短縮番号を割り当てたものであり、短縮ダイヤルキーに続いて短縮番号、通信キーを操作することにより、発呼が開始される。ワンタッチダイヤルは、５〜２０程度のキーの各々に唯一のファクシミリ番号を割り当てたものであり、１回のキー操作で相手先の指定と発呼ができる。ファクシミリ番号を直接入力する場合は、テンキーで入力後、通信キーを操作することにより発呼が開始される。
【００１７】
短縮ダイヤルまたはワンタッチダイヤルで相手先が指定された場合には（Ｓ３）、電子電話帳にサブアドレス／選択ポーリングＩＤ、パスワードが登録されているかが判断される（Ｓ４）。サブアドレス／選択ポーリングＩＤは、親展送信、ポーリング受信のいずれの場合にも必須であるが、パスワードはポーリング受信の場合にだけ必要である。すでに電子電話帳に登録されている場合には、表示が行われ（Ｓ５）、表示内容に間違いがなければ（Ｓ６）、回線が閉結され、発呼される（Ｓ９）。
【００１８】
また、Ｓ４で登録されていない場合、またはＳ６で表示内容を変更したい場合には、入力を行うと（Ｓ７）、入力した内容が新たに電子電話帳に登録された後（Ｓ８）、発呼される（Ｓ９）。発呼後、後述の親展通信または選択ポーリングが行われ（Ｓ１０）、通信終了後に回線が開放される（Ｓ１１）。
【００１９】
Ｓ３で相手先ファクシミリ番号がテンキー入力された場合には、サブアドレス／選択ポーリングＩＤ、パスワードを入力した後（Ｓ１２）、必要であれば（Ｓ１３）、相手先ファクシミリ番号、サブアドレス、選択ポーリングＩＤ、パスワード等を電子電話帳に登録できる（Ｓ１４）。その後は上述の説明と同様である。
【００２０】
親展通信の場合のファクシミリ通信の詳細について、図５を参照しながら説明する。発呼側は、発呼後にＣＮＧ信号を送出する（Ｔ１）。被呼側が着信に応答した後にＣＮＧ信号を受信すると（Ｒ１）、ＣＥＤ信号、ＤＩＳ信号を送出する（Ｒ２）。この時、被呼側は親展通信が可能であることを示すためにＤＩＳ信号の第４９ビットに１をセットして送信する。
【００２１】
発呼側がＣＥＤ信号、ＤＩＳ信号を受信し（Ｔ２）、ＤＩＳ信号の第４９ビットに１を検出すると、被呼側と親展通信が可能なことが判明するが、第４９ビットが１でなければ（Ｔ３）、親展通信を行うことができないので、通信を終了する（Ｔ９、Ｒ９）。被呼側が親展通信が可能であれば、ＤＣＳ信号を送信し（Ｔ４）、続いてＳＵＢ信号にサブアドレスをセットして送信する（Ｔ５）。ＳＵＢ信号にセットされるサブアドレスは、電子電話帳に登録されていたもの若しくは操作部４から入力されたものである。
【００２２】
被呼側では、ＤＣＳ信号の受信（Ｒ３）に続いて、ＳＵＢ信号を受信すると（Ｒ４）、ＳＵＢ信号に含まれているサブアドレスと同一のサブアドレスが、ＲＡＭ６の管理領域に登録されているかどうか、つまり指定されたサブアドレスのボックスが登録されているかどうかを判断する（Ｒ５）。もし登録されていなければ、通信を終了する（Ｒ１０、Ｔ１０）。登録されていれば、通信を継続する。
【００２３】
その後、発呼側と被呼側の間でモデム２のトレーニングを行った（Ｔ６、Ｔ７、Ｒ６、Ｒ７）後、発呼側から画データ（ＦＡＸメッセージ）を送信する（Ｔ８、Ｒ８）。被呼側では、受信した画データをＲＡＭ６に格納し、全ての画データの受信を完了した時点で、画データが格納されたＲＡＭ６のメモリアドレスを管理領域の当該のボックスに記憶し、通信を終了する（Ｔ９、Ｒ９）。
【００２４】
上述のように、親展通信では、被呼側のファクシミリ装置のボックスに予めサブアドレスを登録しておいて、そのサブアドレスを発呼側からＳＵＢ信号で指定することにより、被呼側で受信された画データは、印字出力されることなく、ＲＡＭ６に記憶される。被呼側では、親展通信があったことを知らせる親展通知が出力され、正しい暗証番号が入力されれば、印字出力される。
【００２５】
次に、選択ポーリングの詳細について図６を参照しながら説明する。発呼側は、発呼後にＣＮＧ信号を送出する（Ｔ２１）。被呼側が着信に応答した後にＣＮＧ信号を受信すると（Ｒ２１）、ＣＥＤ信号、ＤＩＳ信号を送出する（Ｒ２２）。この時、被呼側は選択ポーリングが可能であることを示すためにＤＩＳ信号の第４７ビットに１をセットして送信する。
【００２６】
発呼側がＣＥＤ信号、ＤＩＳ信号を受信し（Ｔ２２）、ＤＩＳ信号の第４７ビットに１を検出すると、被呼側と選択ポーリングが可能なことが判明するが、第４７ビットが１でなければ（Ｔ２３）、選択ポーリングを行うことができないので、通信を終了する（Ｔ３２、Ｒ３３）。被呼側が選択ポーリングが可能であれば、ＤＴＣ信号を送信し（Ｔ２４）、続いてＳＥＰ信号、ＰＷＤ信号を送信する（Ｔ２５、Ｔ２６）。ＳＥＰ信号、ＰＷＤ信号にセットされる選択ポーリングＩＤ、パスワードは電子電話帳に登録されていたもの若しくは操作部４から入力されたものである。
【００２７】
被呼側では、ＤＴＣ信号の受信（Ｒ２３）に続いて、ＳＥＰ信号、ＰＷＤ信号を受信すると（Ｒ２４、Ｒ２６）、ＳＥＰ信号に含まれている選択ポーリングＩＤおよびＰＷＤ信号に含まれているパスワードが、ＲＡＭ６の管理領域に登録されているかどうか、つまり指定された選択ポーリングＩＤおよびパスワードのボックスが登録されているかどうかを判断する（Ｒ２５、Ｒ２７）。もし登録されていなければ、通信を終了する（Ｒ３２、Ｔ３１）。登録されていた場合にＤＣＳ信号を送信して（Ｒ２８、Ｔ２７）、通信を継続する。
【００２８】
その後、発呼側と被呼側の間でモデム２のトレーニングを行った（Ｒ２９、Ｒ３０、Ｔ２８、Ｔ２９）後、被呼側から当該ボックスのメモリアドレスで指定された画データ（ＦＡＸメッセージ）を送信する（Ｒ３１，Ｔ３０）。全ての画データの送信を完了した時点で、通信を終了する（Ｒ３２、Ｔ３１）。
【００２９】
上述のように、選択ポーリングでは、被呼側のファクシミリ装置のボックスに予め選択ポーリングＩＤ、パスワードおよび画データを登録しておいて、その選択ポーリングＩＤとパスワードを発呼側からＳＥＰ信号、ＰＷＤ信号で指定することにより、指定された画データが被呼側から発呼側へ送信される。
【００３０】
上述の実施の形態に限定されることなく、次のようにして実施することも可能である。
（１）ファクシミリ装置Ｆは１回線にしか対応していないが、これに限らず複数回線に対して同時に通信が可能なファクシミリ装置またはファクシミリシステムに適用すること。
（２）パスワードは選択ポーリングの場合に使用したが、親展通信の場合にも使用すること。この場合、発呼側から送信したパスワードが、受信側でも入力されたときに印字出力することにより、発呼側にパスワードの設定権ができる。発呼側で指定したパスワードを予め知っていなければ、受信原稿を印字することができないので、よりセキュリティを向上させることができる。
【００３１】
【発明の効果】
請求項１乃至４に記載された本発明のファクシミリ装置は、発呼する相手先のファクシミリ番号を記憶する第１記憶手段と、前記ファクシミリ番号に対応したサブアドレス情報、選択ポーリングＩＤ情報、パスワード情報などの属性情報を記憶する第２記憶手段と、相手先ファクシミリ番号を発呼後、前記属性情報を用いて通信手順を行う制御手段とを備えているので、属性情報を予め登録しておけば、送信時に逐一、入力する必要がなく、操作間違いなどを事前に防止できる。
【００３２】
また、請求項５に記載の本発明ファクシミリ装置は、請求項１乃至４のいずれかに記載のファクシミリ装置において、前記制御手段は、発呼時に前記第２記憶手段に前記属性情報が記憶されていない場合には、操作者に入力を求めることを特徴としているので、予め登録されていない場合でも、通信が可能である。
また、請求項６に記載の本発明のファクシミリ装置は、請求項５に記載のファクシミリ装置において、前記制御手段は、入力された前記属性情報を前記第２記憶手段に記憶することを特徴としているので、一度入力すれば電子電話帳に登録することができ、次回から入力する必要がなくなる。
【図面の簡単な説明】
【図１】本発明のファクシミリ装置の構成を示すブロック図である。
【図２】本発明のファクシミリ装置の電子電話帳示す説明図である。
【図３】本発明のファクシミリ装置の画像メモリの管理領域を示す説明図である。
【図４】本発明のファクシミリ装置の通信動作を示す説明図である。
【図５】本発明のファクシミリ装置の通信動作を示す説明図である。
【図６】本発明のファクシミリ装置の通信動作を示す説明図である。
【符号の説明】
Ｆ        ファクシミリ装置
６        ＲＡＭ
【図１】
0003663829.tif 000002
【図２】
0003663829.tif 000003
【図３】
0003663829.tif 000004
【図４】
0003663829.tif 000005
【図５】
0003663829.tif 000006
【図６】
0003663829.tif 000007